(57)【要約】      （修正有）【課題】全体構造が簡単で、組み立て及び生産が容易なフィン型の薬剤発散装置の提供。【解決手段】ファンユニット１、モーター２、機体３備え、ファンユニット１は、軸心部１１と複数のフィン１２とを備え、複数のフィン１２は環状に軸心部１１の外周囲に分布し、ファンユニット１の複数のフィン１２の内の、少なくとも１枚のフィン１２の上には薬剤を付着させ、モーター２がファンユニット１の回転を連動すると、ファンユニット１のフィン１２上の薬剤は揮発し発散される。【選択図】図１
0003148576.tif 000002
【実用新案登録請求の範囲】
【請求項１】
ファンユニット、モーター、機体を備え、
前記機体は、前記モーターを固定し、
前記モーターは、前記ファンユニットを連接し、
前記ファンユニットは、軸心部と複数のフィンとを備え、前記複数のフィンは環状に前記軸心部の外周囲に分布し、
前記ファンユニットの複数フィンの内、少なくとも１枚のフィンの上には薬剤を付着させ、前記モーターが前記ファンユニットの回転を連動すると、前記ファンユニットのフィン上の薬剤は揮発し発散されることを特徴とするフィン型の薬剤発散装置。
【請求項２】
前記薬剤を備えるフィンは、その上に薬剤を付着させることができる材質により製造することを特徴とする請求項１に記載のフィン型の薬剤発散装置。
【請求項３】
前記フィンの材質は、ポリエステル、ポリプロピレン、ポリビニルクロライド、アクリロニトリル・ブタジエン・スチレン（ABS）、ポリスチレン、アクリロニトリル（AS）、メチルポリプロピレン樹脂、ポリエチレン、エチレンビニルアセテート(EVA)、フェノール樹脂、ポリアセタール、ポリカーボネート、シリカライト樹脂、ポリアミド、熱可塑性ポリエステル系樹脂等から１種を採用することを特徴とする請求項２に記載のフィン型の薬剤発散装置。
【請求項４】
前記フィンに薬剤を付着させる方式は、浸漬方式であることを特徴とする請求項１に記載のフィン型の薬剤発散装置。
【請求項５】
前記フィンに薬剤を付着させる方式は、塗布方式であることを特徴とする請求項１に記載のフィン型の薬剤発散装置。
【請求項６】
前記ファンユニットの複数のフィンは、すべてのフィンの上に薬剤を浸漬し、交換時には前記ファンユニット全体を交換することを特徴とする請求項１に記載のフィン型の薬剤発散装置。
【請求項７】
前記ファンユニットの複数のフィンは、少なくとも１枚のフィンは独立した固体で、任意に交換が可能であることを特徴とする請求項１に記載のフィン型の薬剤発散装置。
【請求項８】
前記ファンユニットの軸心部の外周囲には、少なくとも１個の接合位置を設置し、前記フィン上の係合ほぞと、連結することを特徴とする請求項１に記載のフィン型の薬剤発散装置。
【請求項９】
前記ファンユニットの軸心部内には、別に薬剤室を備え、前記軸心部外周囲に分布する複数のフィンの内、少なくとも１枚のフィンの根元部は、前記薬剤室内まで延伸することを特徴とする請求項１に記載のフィン型の薬剤発散装置。
【考案の詳細な説明】
【技術分野】
【０００１】
本考案は薬剤発散装置に関し、特にフィン型の薬剤発散装置に関する。
【背景技術】
【０００２】
現在、虫の駆除、殺虫に用いられている薬剤揮発装置は、主に、装置本体、ファン、モーター、薬剤体等を備える。
該装置本体は、空気進入口と空気排出口を備え、該ファン、該モーター、該薬剤体は、該装置本体内に設置する。
該ファンは、該モーターに連動され、気流を発生する。
該薬剤体は、適時に薬剤を揮発して発散される。
これにより、該ファンが発生する気流を利用し、該装置本体内の薬剤を外界へと送出する。薬剤が除虫用である時には、害虫の駆除或いは殺虫の効果を有するが、これが一般の香水、精油、芳香剤であれば、室内の空気を清新にすることができる。
本考案は、他の方式或いは構造により、薬剤を容易に揮発させ、或いは拡散させることを目的になされたものである。
【考案の開示】
【考案が解決しようとする課題】
【０００３】
本考案が解決しようとする第一の課題は、ファンユニットの少なくとも１枚のフィンに薬剤を直接付着させ、モーターがファンユニットの回転を連動すると、ファンユニットのフィン上の薬剤は揮発し、発散され、全体構造が簡単で、組み立て及び生産が容易なフィン型の薬剤発散装置を提供することである。
本考案が解決しようとする第二の課題は、ファンユニットの軸心部内に薬剤室を形成し、薬剤室内には大量の液体薬剤を充填可能で、これにより全体的な使用寿命を大幅に延長することができ、また薬剤室は適時薬剤の補充も可能であるため、使用サイクルを伸ばすことで、使用者に利便性を提供することができるフィン型の薬剤発散装置を提供することである。
【課題を解決するための手段】
【０００４】
上記課題を解決するため、本考案は下記のフィン型の薬剤発散装置を提供する。
フィン型の薬剤発散装置はファンユニット、モーター、機体を備え、
該機体は、該モーターを固定し、該モーターは、該ファンユニットを連接し、該ファンユニットは、軸心部と複数のフィンとを備え、該複数のフィンは環状に該軸心部の外周囲に分布する。
該ファンユニットの複数のフィンの内の、少なくとも１枚のフィンの上には薬剤を付着させ、該モーターが該ファンユニットの回転を連動すると、該ファンユニットのフィン上の薬剤は揮発し発散される。
【考案の効果】
【０００５】
本考案は、全体構造が簡単で、組み立て及び生産が容易で、使用寿命を延長することができる。
【考案を実施するための最良の形態】
【０００６】
以下に図面を参照しながら本考案を実施するための最良の形態について詳細に説明する。図１は、本考案一実施形態によるフィン型の薬剤発散装置において、第一実施形態の立体図である。
【０００７】
図１に示すように、本考案一実施形態によるフィン型の薬剤発散装置は、ファンユニット１、モーター２、機体３を備える。ファンユニット１は、モーター２位置に結合し、モーター２は機体３位置に固定される。モーター２が直流電流を使用する時には、機体３内部に電池ユニットを備え、モーター２に運転時に必要な電力を供給する。しかし、これに限定するものではなく、他の電源コードを直接連接することもできる。ファンユニット１は、軸心部１１と複数のフィン１２とを備える。複数のフィン１２は、軸心部１１の外周囲に環状に分布する。本考案一実施形態において、ファンユニット１の複数のフィン１２中の少なくとも１枚のフィン１２Aは、その上に薬剤が付着する。これにより、モーター２がファンユニット１を連動し回転させると、ファンユニット１のフィン１２A上の薬剤は揮発して発散される。
【０００８】
本考案第一実施形態において、フィン１２Aは、ポリエステル、ポリプロピレン、ポリビニルクロライド、アクリロニトリル・ブタジエン・スチレン（ABS）、ポリスチレン、アクリロニトリル（AS）、メチルポリプロピレン樹脂、ポリエチレン、エチレンビニルアセテート(EVA)、フェノール樹脂、ポリアセタール、ポリカーボネート、シリカライト樹脂、ポリアミド、熱可塑性ポリエステル系樹脂等のその上に薬剤を付着させ易い材質により製造する。薬剤付着の方式は、浸漬或いは塗布とする。薬剤は、殺虫剤、或いは駆虫剤であるが、これに限定せず、一般の香水、或いは芳香剤とすることができる。
【０００９】
前記実施形態においては、主に、ファンユニット１の複数のフィン１２の内の、１枚にだけ薬剤をその上に付着させるが、これに限定せず、ファンユニット１全体のすべてのフィン１２に薬剤を付着させることもできる。前記構造において、一定時間の使用後に、薬剤が完全に揮発したなら、使用者はファンユニット１全体を取り外し、交換作業を行う。
【００１０】
図２は、本考案一実施形態によるフィン型の薬剤発散装置において、第二実施形態の立体図及び局部拡大概略図である。図２に示すように、本考案一実施形態によるフィン型の薬剤発散装置において、第二実施形態のファンユニット１のフィンは、分離組み立て方式を採用する。ファンユニット１の複数のフィン１２は、少なくとも１枚のフィン１２Bは独立固体で、任意に交換することができる。よって、ファンユニット１の軸心部１１の外周囲には、相対する数の接合位置１１１を設置し、フィン１２B根元部位置の係合ほぞ１２１と連結することができる。本実施形態においては、もし単一のフィン１２Bの薬剤が完全に揮発してしまっても、その１枚のフィン１２Bだけを交換すれば良く、薬剤がまだ揮発し切っていない他のフィン１２Bを交換する必要はなく、こうして製品の使用寿命を延長することができる。
【００１１】
図３は、本考案一実施形態によるフィン型の薬剤発散装置において、第三実施形態の立体図で、図４は、本考案一実施形態によるフィン型の薬剤発散装置において、第三実施形態のファンユニットの縦断面概略図である。本考案一実施形態によるフィン型の薬剤発散装置において、第三実施形態は、主に使用時間をより長くすることができる薬剤発散装置を提供する。図３、図４に示すように、本実施形態のファンユニット１の軸心部１１内には、薬剤室１１２を備える。薬剤室１１２は、中空の収容設置空間で、大量の液体薬剤を充填することができる。軸心部１１の外周囲には、複数のフィン１２を備え、少なくとも１枚のフィン１２の根元部１２２は、軸心部１１外周から内部の薬剤室１１２内まで延伸する。フィン１２は、毛細現象を利用し、薬剤室１１２内の薬剤を内部まで浸透させ、フィン１２の根元部１２２によりフィン１２本体全体へと拡散する。これにより、ファンユニット１がモーター２に連動されると、フィン１２上に付着する薬剤は揮発して発散する。本実施形態において、軸心部１１が形成する薬剤室１１２の空間は比較的大きいため、貯蔵可能な薬剤の量も多く、よって装置の使用時間をさらに延長することができる。
【００１２】
図５は、本考案一実施形態によるフィン型の薬剤発散装置において、第四実施形態の立体図である。本考案一実施形態によるフィン型の薬剤発散装置において、第四実施形態の軸心部１１は、開くことができる蓋１１３を備える。蓋１１３が開かれると、薬剤室１１２と外界は通じるため、薬剤を使い切ってしまった時には、使用者は薬剤を適時充填することができる。つまり、ファンユニット１全体を交換する必要がなく、非常に便利で、しかも使用寿命をさらに延長することができる。
【図面の簡単な説明】
【００１３】
【図１】本考案一実施形態によるフィン型の薬剤発散装置において、第一実施形態の立体図である。
【図２】本考案一実施形態によるフィン型の薬剤発散装置において、第二実施形態の立体図及び局部拡大概略図である。
【図３】本考案一実施形態によるフィン型の薬剤発散装置において、第三実施形態の立体図である。
【図４】本考案一実施形態によるフィン型の薬剤発散装置において、第三実施形態のファンユニットの縦断面概略図である。
【図５】本考案一実施形態によるフィン型の薬剤発散装置において、第四実施形態の立体図である。
【符号の説明】
【００１４】
１  ファンユニット
１１  軸心部
１１１  接合位置
１１２  薬剤室
１１３  蓋
１２  フィン
１２１  係合ほぞ
１２２  根元部
１２A  フィン
１２B  フィン
２  モーター
３  機体
【図１】
0003148576.tif 000003
【図２】
0003148576.tif 000004
【図３】
0003148576.tif 000005
【図４】
0003148576.tif 000006
【図５】
0003148576.tif 000007